(57)【特許請求の範囲】
【請求項１】
フェムトセルサーチングのための入力信号を受信する受信過程と、
前記入力信号によって、フェムトセルを構成する超小型移動通信基地局と通信を行うことができる特定の周波数、超小型移動通信基地局に割り当てられたＰＳＣ（Ｐｒｉｍａｒｙ  Ｓｃｒａｍｂｌｅ  Ｃｏｄｅ）情報、複数の超小型移動通信基地局が有する複数の周波数、サービス提供者が割り当てた超小型移動通信基地局が利用することができる特定の周波数帯域の全ての情報を含むサーチ設定データを獲得する過程と、
前記サーチ設定データを基盤にしてフェムトセル存在の有無を確認するフェムトセル確認過程と、
前記フェムトセルが存在する場合、当該フェムトセルへの登録を試みる過程と、を含み、
前記フェムトセル確認過程は、
前記特定の周波数と、前記ＰＳＣ情報を基盤にしてフェムトセルサーチングを行い、
前記特定の周波数と前記ＰＳＣ情報を基盤にしたフェムトセルサーチングに失敗した場合、前記特定の周波数を基盤にしてフェムトセルサーチングを行い、
前記特定の周波数を基盤にしたフェムトセルサーチングに失敗した場合、前記特定の周波数帯域または前記複数の周波数と前記ＰＳＣ情報を基盤にしてフェムトセルサーチングを行い、
前記特定の周波数帯域または前記複数の周波数と前記ＰＳＣ情報を基盤にしたフェムトセルサーチングに失敗した場合、前記特定の周波数帯域または前記複数の周波数を基盤にしてフェムトセルサーチングを行うことを特徴とするフェムトセル利用方法。
【請求項２】
前記フェムトセルサーチングに失敗した場合、前記フェムトセルサーチング失敗に対応するメッセージをオーディオ処理部または表示部を通じて出力する過程をさらに含むことを特徴とする請求項１に記載のフェムトセル利用方法。
【請求項３】
前記フェムトセル確認過程は、
前記特定の周波数帯域または前記複数の周波数と前記ＰＳＣ情報を基盤にしたフェムトセルサーチングに失敗した場合、前記特定の周波数帯域またはフェムトセルサーチングに失敗した特定の周波数を除外した前記複数の周波数を基盤にしてフェムトセルサーチングを行う過程をさらに含むことを特徴とする請求項１に記載のフェムトセル利用方法。
【請求項４】
前記フェムトセルへの登録を試みた後、
前記フェムトセル登録に成功した場合、フェムトセルとの通信チャネルを形成し、前記フェムトセル登録成功に対するメッセージをオーディオ処理部または表示部を通じて出力する過程、
及び前記フェムトセルへの登録を試みた後、前記フェムトセル登録に失敗した場合、フェムトセル登録失敗に対するメッセージを前記オーディオ処理部または表示部を通じて出力する過程のうちいずれか１つの過程をさらに含むことを特徴とする請求項１に記載のフェムトセル利用方法。
【請求項５】
フェムトセルサーチングのための入力信号を生成する入力部と、
前記フェムトセルサーチングのためのサーチ設定データを含む保存部と、
前記入力信号によってフェムトセルを構成する超小型移動通信基地局と通信を行うことができる特定の周波数、超小型移動通信基地局に割り当てられたＰＳＣ（Ｐｒｉｍａｒｙ  Ｓｃｒａｍｂｌｅ  Ｃｏｄｅ）情報、複数の超小型移動通信基地局が有する複数の周波数、サービス提供者が割り当てた超小型移動通信基地局が利用することができる特定の周波数帯域全ての情報を含むサーチ設定データを獲得し、前記サーチ設定データを基盤にしてフェムトセル存在の有無を確認し、フェムトセルが存在する場合、当該フェムトセルへの登録を試みるように制御する制御部と、を含み、
前記制御部は、
前記特定の周波数と前記ＰＳＣ（Ｐｒｉｍａｒｙ  Ｓｃｒａｍｂｌｅ  Ｃｏｄｅ）情報を基盤にしてフェムトセルをサーチングするように制御し、失敗した場合、前記特定の周波数を基盤にしてフェムトセルサーチングを行うように制御し、さらに失敗した場合、前記特定の周波数帯域または前記複数の周波数とＰＳＣ情報を基盤にしてフェムトセルをサーチングするように制御し、さらに失敗した場合、前記特定の周波数帯域又は複数の周波数を基盤にしてフェムトセルサーチングを行うように制御することを特徴とするフェムトセル利用装置。
【請求項６】
前記特定の周波数とＰＳＣ情報を基盤にしてフェムトセルサーチングを行うためのメニュー項目と、
前記特定の周波数を基盤にしてフェムトセルサーチングを行うためのメニュー項目と、
前記特定の周波数帯域または複数の周波数と前記ＰＳＣ情報を基盤にしてフェムトセルサーチングを行うためのメニュー項目、及び前記特定の周波数帯域または複数の周波数を基盤にしてフェムトセルサーチングを行うためのメニュー項目のうち少なくとも１つのメニュー項目と、を出力する表示部をさらに含むことを特徴とする請求項５に記載のフェムトセル利用装置。
【請求項７】
前記制御部は、
前記特定の周波数帯域または前記複数の周波数を利用するとき、以前にフェムトセルサーチングに利用された前記特定の周波数を除外することを特徴とする請求項５に記載のフェムトセル利用装置。
【請求項８】
前記フェムトセルサーチングに失敗した場合、フェムトセルサーチング失敗に対するメッセージを出力する表示部またはオーディオ処理部をさらに含むことを特徴とする請求項７に記載のフェムトセル利用装置。
【請求項９】
前記フェムトセルへの登録を試みた後、
前記フェムトセル登録に成功した場合、フェムトセルとの通信チャネルを形成する無線周波数部と、
前記フェムトセル登録成功に対するメッセージを出力する表示部またはオーディオ処理部と、をさらに含むことを特徴とする請求項５に記載のフェムトセル利用装置。
【請求項１０】
前記フェムトセル登録に失敗した場合、フェムトセル登録失敗に対するメッセージを出力する表示部またはオーディオ処理部をさらに含むことを特徴とする請求項５に記載のフェムトセル利用装置。
【発明の詳細な説明】
【技術分野】
【０００１】
本発明は、フェムトセル（ｆｅｍｔｏｃｅｌｌ）に関し、特にフェムトセルサーチングを指示することができる環境を提供し、これを通じてユーザが所望の時点にフェムトセルをサーチングすることを支援するフェムトセル利用方法及び装置に関する。
【背景技術】
【０００２】
携帯端末機は、急速な技術発展に伴い、初期の単純音声通話及び短文メッセージ伝送機能からビデオ通話、電子手帳機能、インターネット機能などのように様々な機能を備えるに至った。また、前記携帯端末機は、最近になって、デジタルカメラ機能が追加される傾向にある。これによって、前記携帯端末機は、所望の動画または停止画を容易に撮影して保存し、これらを伝送する画像伝送機能がユーザに提供されている。
【０００３】
一方、前述したような携帯端末機は、通信サービス支援のために基地局が必要である。このような基地局は、他の基地局の通信サービス支援領域を考慮して位置するようになる。特に、基地局は、通信の切れがないサービス支援のために前記通信サービス支援領域が一部重なるように配置される。しかし、このような努力にもかかわらず、基地局は、携帯端末機の位置によって通信サービスを支援しない陰影地域を発生させ得る。例えば、携帯端末機が電波を受信することができないか、または受信率が顕著に低い建物内や狭い谷など特定の地域に位置する場合、前記基地局は、前記携帯端末機を検索できず、円滑な通信サービス支援を行うことができない。これによって、前記携帯端末機が通信サービスを支援する特定の通信網をユーザが所望の時点にサーチングできることが要求されている。
【発明の概要】
【発明が解決しようとする課題】
【０００４】
したがって、本発明の目的は、ユーザが所望の時点にフェムトセルをサーチングできるように支援するフェムトセル利用方法及び装置を提供することにある。
【課題を解決するための手段】
【０００５】
上記目的を達成するために、本発明の一態様によるフェムトセル利用方法は、フェムトセルサーチングのための入力信号を受信する受信過程と、前記入力信号によってサーチ設定データを獲得する過程と、前記サーチ設定データを基盤にしてフェムトセル存在可否を確認するフェムトセル確認過程と、フェムトセルが存在する場合、当該フェムトセルに登録を試みる過程と、を含むことを特徴とする。
【０００６】
また、本発明の他の態様によるフェムトセルサーチング装置は、フェムトセルサーチングのための入力信号を生成する入力部と、前記フェムトセルサーチングのためのサーチ設定データを含む保存部と、前記入力信号によってサーチ設定データを獲得し、前記サーチ設定データを基盤にしてフェムトセル存在可否を確認し、フェムトセルが存在する場合、当該フェムトセルに登録を試みるように制御する制御部と、を含むことを特徴とする。
【発明の効果】
【０００７】
本発明の実施例によるフェムトセル利用方法及び装置によれば、ユーザが所望の時点にフェムトセルを効率的にサーチングすることができ、それによる通信サービス利用が可能である。
【図面の簡単な説明】
【０００８】
【図１】本発明の実施例によるフェムトセルを含む通信網システムの構成を概略的に示す図である。
【図２】本発明の実施例による携帯端末機の構造を概略的に示すブロック図である。
【図３】本発明の実施例による携帯端末機の画面インターフェースの一例を示す図である。
【図４】本発明の実施例によるフェムトセル利用方法を説明するためのフローチャートである。
【図５】本発明の実施例によるフェムトセルサーチングの他の方法を説明するためのフローチャートである。
【図６】本発明の実施例によるフェムトセルサーチングのさらに他の方法を説明するためのフローチャートである。
【発明を実施するための形態】
【０００９】
以下、本発明の実施例を添付の図面を参照して説明する。
実施例を説明するにあたって、本発明の属する技術分野ではよく知られており、且つ本発明と直接的に関連がない技術内容については説明を省略する。また、実質的に同一の構成と機能を有する構成要素については詳細な説明を省略する。
同様の理由で、添付の図面において一部の構成要素は誇張されるか、省略されるか、または概略的に図示され、各構成要素のサイズは、実際サイズを反映するものではない。したがって、本発明は、添付の図面に示された相対的なサイズまたは間隔によって制限されない。
【００１０】
本発明の詳細な説明に先立って、以下では、本発明の実施例による機能を行う端末機は、様々な通信方式を支援する。例えば、本発明の携帯端末機は、ＵＭＴＳ、ＧＳＭ、ＧＰＲＳ、ＣＤＭＡ、ＷＣＤＭＡ方式など様々な通信方式によって通信サービスを支援できる。このために、前記携帯端末機は、各通信方式を支援する通信モジュールを含む。
【００１１】
図１は、本発明の実施例によるフェムトセルを含む全体システムの構成を概略的に示す図である。
説明に先立って、前記フェムトセルは、超小型移動通信用基地局によって生成されるセルを意味する。これをさらに詳しく説明すれば、無線通信方式を用いた通信方式は、陰影地域が存在する。このような陰影地域を除去するか、または最小化するために、基地局の送信電力を増大できるが、陰影地域が電波の到達しない所になり得るので、前述したような方法は、現実的に効率的でない。このような背景から、現在システムは、家庭や事務室など室内に超小型移動通信用基地局を設置し、移動通信網とインターネット網に連結し、有無線融合サービスを提供することによって、前述した陰影地域を除去するように支援できる。前記陰影地域の除去のために、超小型移動通信用基地局によって生成されるセルをフェムトセルと命名する。以下では、前述したフェムトセルを利用する方法及び装置について説明する。
【００１２】
図１を参照すれば、本発明の実施例によるシステムは、移動通信機能を有する第１携帯端末機１００と、第１携帯端末機１００がサーチングして登録できるフェムトセル３００と、フェムトセル３００に連結されるインターネット網４００及び移動通信網５００と、前記第１携帯端末機１００と通信を行う第２携帯端末機２００とを含む。ここで、前記移動通信網５００及び第２携帯端末機２００は、前記第１携帯端末機１００の利用サービス種類によって変わる。例えば、前記第２携帯端末機２００及び移動通信網５００は、前記第１携帯端末機１００がウェブサービスを利用する場合、インターネット網４００に連結される特定のサーバーの構成に置き換えることができる。
【００１３】
このような構成を有する本発明の実施例によるシステムは、第１携帯端末機１００がユーザの要請によってフェムトセル３００をサーチングし、サーチングが成功した場合、フェムトセル３００に登録を試みて移動通信サービスを利用できるように支援する。この際、前記フェムトセル３００は、インターネット網４００と第１携帯端末機１００との間での送受信を支援するために、第１携帯端末機１００と通信を行う移動通信インターフェースと、インターネット網４００と通信を行うインターネット接続インターフェースを含む。これによって、前記第１携帯端末機１００は、フェムトセル３００、インターネット網４００、移動通信網５００を通じて第２携帯端末機２００と通信を行う。前記第１携帯端末機１００の各構成について図２を参照してさらに詳しく説明する。
【００１４】
図２は、本発明の実施例による第１携帯端末機１００の構成を概略的に示す図である。
図２を参照すれば、本発明の第１携帯端末機１００は、無線周波数部１１０、入力部１２０、オーディオ処理部１３０、表示部１４０、保存部１５０及び制御部１６０を含む。
【００１５】
このような構成を有する本発明の第１携帯端末機１００は、入力部１２０から入力される入力信号によって前記無線周波数部１１０を運用するが、フェムトセル３００をサーチングするための入力信号が伝達されれば、保存部１５０に保存されたサーチ設定データを利用してフェムトセル３００をサーチングするための信号を空中（Ａｉｒ）に出力する。また、前記第１携帯端末機１００は、前記フェムトセル３００が検索されれば、検索されたフェムトセル３００に登録のための信号を送信し、登録に成功する場合、それに対応するアラームを行った後、フェムトセル３００基盤の移動通信サービスを支援する。以下、本発明の実施例によるフェムトセルサーチングのための各構成の機能と役目についてさらに詳しく説明する。
【００１６】
前記無線周波数部１１０は、前記制御部１６０の制御によって画像通話データを送信及び受信する。前記無線周波数部１１０は、送信される信号の周波数を上昇変換及び増幅する無線周波数送信部と、受信される信号を低雑音増幅し、周波数を下降変換する無線周波数受信部などを含む。特に、本発明の無線周波数部１１０は、入力部１２０から入力される信号によってフェムトセル３００と通信チャネルを形成し、これを基盤にして移動通信サービスに対応する信号を送受信する。また、前記無線周波数部１１０は、移動通信網５００と直接的に通信チャネルを形成し、これを基盤にして他の携帯端末機との通信サービスを利用するか、または移動通信網５００に連結されたインターネット網４００に接続する通信チャネルを形成する。
【００１７】
前記入力部１２０は、数字または文字情報を入力され、各種機能を設定するための多数の入力キー及び機能キーを含む。前記機能キーは、特定の機能を行うように設定された方向キー、サイドキー及びショートカットキーなどを含む。また、前記入力部１２０は、ユーザ設定及び端末機の機能制御と関連して入力されるキー信号を生成し、前記制御部１６０に伝達する。特に、前記入力部１２０は、フェムトセル３００をサーチングするための入力信号と、他の携帯端末機との通信を指示するための入力信号と、インターネット網４００に連結された特定のサーバーへの接続のための入力信号などをユーザ制御によって生成する。このように生成された入力信号は、制御部１６０に伝達される。
【００１８】
前記オーディオ処理部１３０は、前記通話時に送受信されるオーディオデータを再生するためのスピーカＳＰＫと、画像通話時にユーザの音声またはその他のオーディオ信号を収集するためのマイクＭＩＣを含む。特に、本発明のオーディオ処理部１３０は、フェムトセル３００のサーチングに成功した場合、及びサーチングに成功したフェムトセル３００への登録に成功した場合のうち少なくとも１つの場合に、既定のオーディオ信号を出力する。すなわち、前記オーディオ処理部１３０は、フェムトセル３００のサーチングの成功を通知するオーディオ信号及びフェムトセル３００への登録の成功を通知するオーディオ信号のうち少なくとも１つを各事件発生によって出力する。このようなオーディオ信号出力は、ユーザ設定によって省略されてもよい。例えば、ユーザが第１携帯端末機１００を無音状態に維持する場合、前述した事件が発生しても、前記オーディオ処理部１３０は、別途のオーディオ信号を出力しなくてもよい。
【００１９】
前記表示部１４０は、前記第１携帯端末機１００の運用に必要な画面を提供する領域である。例えば、前記表示部１４０は、ブーティング完了後に既定の待機画面、端末機の様々な機能選択のためのメニュー画面、各メニューの下部メニューを選択できるように支援する画面、特定メニューの選択及び活性化による画面などを出力する。このような表示部１４０は、ＬＣＤ（Ｌｉｑｕｉｄ  Ｃｒｙｓｔａｌ  Ｄｉｓｐｌａｙ）が適用されることができ、この場合、表示部１４０は、ＬＣＤ制御部、データを保存するメモリ及びＬＣＤ表示素子などを備える。前記ＬＣＤをタッチスクリーン方式で具現する場合、表示部１４０の画面は、入力部として動作する。特に、本発明の表示部１４０は、フェムトセル３００のサーチング試みを通知する画面、フェムトセル３００のサーチング成功を通知する画面、サーチングされたフェムトセル３００に登録を試みる画面、フェムトセル３００への登録成功を通知する画面、フェムトセル３００への登録失敗を通知する画面などを出力する。また、前記表示部１４０は、フェムトセル３００のサーチングをユーザが選択できるメニューを出力し、ユーザが当該メニューを選択して活性化する場合、メニュー選択によるフェムトセルサーチングの環境条件を出力する。例えば、前記表示部１４０は、フェムトセル３００のサーチングのために既定の周波数、既定のコード、既定の周波数帯域などを含むサーチング設定データを出力する。前記表示部１４０のメニュー画面について図面を参照してさらに詳しく説明する。
【００２０】
前記保存部１５０は、本発明の実施例による機能動作に必要なアプリケーションプログラムを含めて、通信サービス支援のために必要な通信支援アプリケーションプログラムを含む。このような前記保存部１５０は、大きく、プログラム領域とデータ領域とを含む。
【００２１】
前記プログラム領域は、第１携帯端末機１００をブーティングするオペレーティングシステム（ＯＳ；Ｏｐｅｒａｔｉｎｇ  Ｓｙｓｔｅｍ）、第１携帯端末機１００のその他のオプション機能、例えば、ファイル再生機能、イメージまたは動画再生機能、イメージ検索機能、放送受信機能、イメージ収集機能などに必要なアプリケーションプログラムなどを保存し、特に通信支援アプリケーションプログラムを保存する。このような機能支援のために、前記第１携帯端末機１００は、放送受信モジュール、カメラモジュールなどをさらに含む。一方、前記通信支援アプリケーションプログラムは、入力部１２０から入力される入力信号によってフェムトセル３００をサーチングし、フェムトセル３００のサーチングに成功した場合、当該フェムトセル３００への登録の試みを制御する。また、前記通信支援アプリケーションプログラムは、当該フェムトセル３００への登録に成功した場合、登録されたフェムトセル３００を基盤にして通信サービスが行われるように支援する。また、前記通信支援アプリケーションプログラムは、フェムトセル３００を基盤にして通信サービスを支援し、前記フェムトセル３００が支援する通信サービス領域から外れて前記フェムトセル３００への登録が解除される場合、自動で移動通信網５００への接続のための基地局サーチング及び登録課程を行うように制御する。このような通信支援アプリケーションプログラムは、第１携帯端末機１００に電源が供給されて初期化される場合、制御部１６０にローディグされ、既定の作業スケージュルによって移動通信網５００に接続するか、入力部１２０から入力される入力信号によってフェムトセル３００に接続するように制御する。
【００２２】
前記データ領域は、前記第１携帯端末機１００の使用によって発生するデータが保存される領域であって、通話時に発生するデータ、例えば、ユーザが録音または録画したデータ、前記端末機が提供する様々なオプション機能と関連したユーザデータ、例えば、動画と、フォンブックデータと、オーディオデータ及び当該コンテンツまたはユーザデータに対応する情報などを保存する。特に、本発明のデータ領域は、サーチ設定データを保存する。前記サーチ設定データは、フェムトセル３００をサーチングするための様々な情報として、例えば、フェムトセル３００の特定の周波数情報、フェムトセル３００のＰＳＣ（Ｐｒｉｍａｒｙ  Ｓｃｒａｍｂｌｅ  Ｃｏｄｅ）情報、フェムトセル３００のサーチングのための周波数帯域情報、フェムトセル３００のサーチングのための複数の周波数情報などを含む。前記フェムトセル３００の特定の周波数、周波数帯域、複数の周波数情報及びＰＳＣ情報は、前記第１携帯端末機１００がフェムトセル３００を利用するためのサービスに加入する場合、当該サービス提供者から受信するようになる。すなわち、前記情報は、第１携帯端末機１００がフェムトセル利用サービスに加入する場合、サービス提供者が端末機に直接提供するか、移動通信網５００またはインターネット網４００を通じて伝送する。これにより、前記第１携帯端末機１００は、前記情報を前記データ領域に保存する。この際、前記サービス提供者は、前記フェムトセル利用サービスの形態によって前述した情報の一部または全部を提供するようになる。例えば、第１携帯端末機１００が特定地域のフェムトセル３００のみを利用するためのサービスに加入したら、前記サービス提供者は、特定地域に位置するフェムトセル３００の特定の周波数及びＰＳＣのうち少なくとも１つを提供する。この過程で、特定地域に複数のフェムトセル３００が存在すれば、前記サービス提供者は、複数の周波数を提供するか、複数のフェムトセル３００に割り当てられた周波数を含む特定帯域の周波数帯域を提供することもできる。また、前記第１携帯端末機１００が様々な地域でフェムトセル３００基盤の通信網利用サービスに加入した場合、前記サービス提供者は、各地域に含まれたフェムトセル３００の周波数または複数のフェムトセル３００のうち少なくとも１つに接続するために割り当てられた全体周波数を含む周波数帯域を提供する。
【００２３】
前記制御部１６０は、前述した各構成に電源供給を制御し、各構成間の信号フローを制御し、第１携帯端末機１００の様々な機能が行われるように制御する。このような本発明の制御部１６０は、ユーザの要請によって前記データ領域に保存されたサーチ設定データを基盤にしてフェムトセル３００をサーチングし、サーチングに成功すれば、成功した周波数を基盤にして登録の試みを制御する。また、前記制御部１６０は、フェムトセル３００との通信チャネルが様々な環境条件、例えば、第１携帯端末機１００がフェムトセル３００の周波数カバレッジから外れる場合、移動通信網５００との通信チャネル形成を制御し、フェムトセル３００との通信チャネルを解除する。この際、前記制御部１６０は、フェムトセル３００と形成された通信チャネルが解除されることを通知するメッセージを出力するように制御でき、また、フェムトセル３００で移動通信網５００からの転換を確認するためのポップアップ窓を出力する。また、前記制御部１６０は、フェムトセル３００との通信チャネルを解除し、移動通信網５００と通信チャネルを形成しなければならない環境になれば、別途のメッセージ出力なしにフェムトセル３００から移動通信網５００に通信チャネルを変更し、それに対するメッセージを出力するように制御することもできる。このような制御部１６０のフェムトセルサーチングと関連してサーチング方法においてさらに詳しく説明する。
【００２４】
図３は、本発明の実施例による第１携帯端末機のフェムトセルサーチング支援時に提供される画面インターフェースの一例を示す図である。説明に先立って、前記第１携帯端末機１００は、無線周波数部１１０の運用を通じて移動通信網５００と通信チャネルを形成しているものと仮定する。また、携帯端末機ユーザは、フェムトセルサーチングのためにフェムトセルサーチングメニューを選択したものと仮定する。
【００２５】
図３を参照すれば、本発明の表示部１４０は、フェムトセル３００または移動通信網５００の間に形成された通信チャネルの状態を出力するインジケーター領域１４３と、フェムトセルメニュー選択によるフェムトセルメニュー領域１４７、ソフトキー領域１４９を含む。
【００２６】
前記インジケーター領域１４３は、前述したように、移動通信網５００と形成された通信チャネルの受信信号強度を示す第１アンテナアイコン１４１と、第１携帯端末機１００のバッテリー残量を表示するバッテリー残量アイコン１４２を含む。前記第１アンテナアイコン１４１は、移動通信網５００との受信信号強度を示すので、受信信号が変更される場合、それによって第１アンテナアイコン１４１の形態が変更される。また、前記バッテリー残量アイコン１４２も、バッテリー残量の変化によってアイコンの形態が変更される。一方、本発明のインジケーター領域１４３は、フェムトセル３００との通信チャネルを形成した場合、前記移動通信網５００と関連した受信信号強度を示す第１アンテナアイコン１４１と類似のフェムトセルアンテナアイコンを出力する。この際、第１携帯端末機１００がフェムトセル３００と形成した通信チャネルから受信される受信信号強度を示すフェムトセルアンテナアイコンは、前記第１アンテナアイコン１４１と別途の位置に出力される。また、前記フェムトセルアンテナアイコンは、前記第１アンテナアイコン１４１が出力される位置に出力される。実質的に、移動通信網５００との通信チャネルが解除され、フェムトセル３００と通信チャネルを形成するようになる第１携帯端末機１００は、前記第１アンテナアイコン１４１をフェムトセルアンテナアイコンとして利用し、フェムトセル３００から受信される信号の受信信号強度を第１アンテナアイコン１４１に示す。
【００２７】
前記フェムトセルメニュー領域１４７は、フェムトセルメニューであることを示す題目“Ｆｅｍｔｏｃｅｌｌ”が出力される領域と、フェムトセルメニューの項目が出力される領域を含む。図３では、フェムトセルのメニュー項目として１つのメニュー項目、すなわち“ｓｅａｒｃｈ”項目のみを出力するものと説明したが、端末機設計者の意図によって他の項目が追加される。例えば、第１携帯端末機１００は、前記フェムトセルメニュー領域１４７に出力される項目として、サーチ設定データを選択する項目を出力する。すなわち、前記第１携帯端末機１００は、フェムトセルメニューの項目が出力される領域に「特定の周波数検索」項目、「周波数帯域検索」項目、「特定の周波数と特定のＰＳＣ基盤検索」項目、「周波数帯域とＰＳＣ基盤検索」項目などを出力する。
【００２８】
前記携帯端末機ユーザは、前述したフェムトセルメニュー画面を利用して移動通信網５００からの受信信号強度に関係なく、ユーザが入力部を利用して特定項目を指示する時点にフェムトセルサーチングを開始する。
【００２９】
以上では、本発明の実施例によるフェムトセルサーチングのためのシステムと端末機の構成と役目及び画面インターフェースの一例について説明した。以下では、本発明のフェムトセル利用方法について画面を参照してさらに詳しく説明する。
【００３０】
図４は、本発明の実施例によるフェムトセル利用方法のうち特定の周波数及びＰＳＣ基盤サーチング方法について説明するためのフローチャートである。
【００３１】
図１、図２及び図４を参照すれば、本発明によるフェムトセル利用方法は、まず、第１携帯端末機１００に電源が供給されれば、携帯端末機の制御部１６０が供給された電源を利用して携帯端末機の各構成を初期化し、ブーティング過程を行う。また、ブーティングが完了すれば、前記第１携帯端末機１００は、段階Ｓ１０１で既定の待機画面を表示部１４０に出力するように制御する。  
【００３２】
その後、第１携帯端末機１００は、段階Ｓ１０３でフェムトセル３００サーチ可否を確認する。すなわち、携帯端末機ユーザがフェムトセル３００のサーチングのためのメニュー画面が出力された状態でフェムトセル３００のサーチングを開始する項目を選択して活性化すれば、前記第１携帯端末機１００は、入力信号の生成によってフェムトセル３００のサーチを準備する。ここで、フェムトセル３００のサーチのための入力信号が発生しない場合、前記第１携帯端末機１００は、入力される入力信号によって第１携帯端末機１００の特定の機能を行うために段階Ｓ１０５に分岐する。すなわち、前記第１携帯端末機１００は、段階Ｓ１０５で入力信号の要請によって携帯端末機のユーザ機能、例えば、ファイル再生機能、ファイル検索機能、放送受信機能、イメージ収集機能などを行うように制御する。
【００３３】
一方、段階Ｓ１０３でフェムトセル３００のサーチのための入力信号が発生すれば、第１携帯端末機１００は、段階Ｓ１０７に分岐し、サーチ設定データを収集する。このために前記第１携帯端末機１００は、保存部１５０に保存されたサーチ設定データの位置を確認し、当該位置に保存されたサーチ設定データを収集する。収集されたサーチ設定データには、フェムトセル３００のサーチのための周波数情報及びＰＳＣ情報が含まれる。すなわち、前記サーチ設定データには、フェムトセルを構成する超小型移動通信基地局と通信を行うことができる特定の周波数、超小型移動通信基地局に割り当てられたＰＳＣ情報、複数の超小型移動通信基地局が有する複数の周波数、サービス提供者が割り当てた超小型移動通信基地局が利用することができる周波数帯域のうち少なくとも１つの情報を含む。
【００３４】
次に、前記第１携帯端末機１００は、段階Ｓ１０９で収集されたサーチ設定データのうち特定の周波数及びＰＳＣ（Ｐｒｉｍａｒｙ  Ｓｃｒａｍｂｌｅ  Ｃｏｄｅ）を基盤にしてフェムトセル３００のサーチを行う。すなわち、前記第１携帯端末機１００は、前記特定の周波数を利用する超小型移動通信基地局が存在するか否かを確認するために、既定の信号値を前記特定の周波数に載せて空中（Ａｉｒ）に出力する。この際、前記既定の信号値には、前記ＰＳＣ情報を含んで出力する。これによって、第１携帯端末機１００に隣接する地域に前記特定の周波数を利用し、前記ＰＳＣ情報を有する超小型移動通信基地局が存在する場合、前記第１携帯端末機１００は、当該超小型移動通信基地局から送信信号に対する応答を受信する。
【００３５】
その後、段階Ｓ１１１で、前記第１携帯端末機１００は、フェムトセル３００が存在するか否かを確認する。このために、前記第１携帯端末機１００は、フェムトセル３００のサーチのために送出した信号に対する応答がなされたか否かを確認する。この過程で、特定のフェムトセル３００を構成する超小型移動通信基地局から応答を受信する場合、前記第１携帯端末機１００は、段階Ｓ１１３に分岐し、フェムトセル３００への登録を試みるように制御する。フェムトセル３００の登録は、前記第１携帯端末機１００が移動通信網に接続するために行われる手続と類似する。すなわち、前記第１携帯端末機１００は、フェムトセル３００を構成する超小型移動通信基地局の通信方式によって第１携帯端末機１００の情報を提供し、前記第１携帯端末機１００は、フェムトセルを形成する超小型移動通信基地局から一定の周期間隔で既定の信号を受信する。前記第１携帯端末機１００は、このような手続を基盤にしてフェムトセル３００への登録に成功するか否かを段階Ｓ１１５で確認し、成功する場合、段階Ｓ１１７に分岐し、フェムトセル３００への登録に成功したことを通知するメッセージをオーディオ処理部１３０または表示部１４０を通じて出力する。また、前記第１携帯端末機１００は、登録成功したフェムトセル３００を基盤にして移動通信サービスを支援するように通信チャネル形成などの過程を行う。一方、Ｓ１１５段階で、フェムトセル３００への登録に失敗した場合、段階Ｓ１１９に分岐し、登録に失敗したことを通知するメッセージをオーディオ処理部１３０及び表示部１４０のうち少なくとも１つを通じて出力する。
【００３６】
一方、前記第１携帯端末機１００は、段階Ｓ１１１でフェムトセル３００が存在しない場合、“Ａ”過程に分岐し、サーチ設定データによって新しい方法でフェムトセル３００の存在可否を確認する。これについて図５を参照してさらに詳しく後述する。また、前記第１携帯端末機１００は、段階Ｓ１１９でフェムトセル３００への登録に失敗した場合、段階Ｓ１１３に戻り、フェムトセル３００への登録を再び試みることができ、このような再び試み動作を既定の回数分だけ繰り返して行うか、またはユーザの入力信号伝達によって繰り返して行われる。また、前記第１携帯端末機１００は、登録失敗の補完方法として、“Ａ”過程に分岐し、前記サーチ設定データに含まれた他の情報を利用することもできる。このために前記第１携帯端末機１００は、ユーザに登録失敗を通知すると同時に、他の情報、すなわち他の周波数または特定の周波数帯域を基盤にしてフェムトセル３００をサーチし、登録を試みるかを確認するポップアップ窓を出力し、携帯端末機ユーザが試みを承認する場合、前記第１携帯端末機１００は、それによる動作実行のために“Ａ”過程に分岐する。または、前記第１携帯端末機１００は、特定の周波数及びＰＳＣで検索されたフェムトセル３００に対して登録が不可能な事由に関するヘルプを出力することもできる。例えば、前記第１携帯端末機１００は、サービスに加入しなくて、登録が不可能なユーザであることを示すメッセージを出力するか、または現在フェムトセル３００が当該サービス支援が不可能な特定の事由に関するメッセージを出力する。
【００３７】
図５は、本発明の実施例によるフェムトセルサーチングのための他の方法を説明するためのフローチャートである。図１、図２及び図５を参照すれば、図４の段階Ｓ１１１でフェムトセル３００のサーチ結果、フェムトセル３００が存在しない場合、本発明の第１携帯端末機１００は、段階Ｓ２０１に分岐し、特定の周波数を基盤にしてサーチを行う。言い換えれば、前記第１携帯端末機１００は、保存部１５０に保存されたサーチ設定データのうちＰＳＣを除いた特定の周波数を利用した超小型移動通信基地局を検索するための過程を行う。これによって、前記第１携帯端末機１００は、前記特定の周波数に既定の特定信号を載せて送出し、それに対する応答を待機する。
【００３８】
その後、前記段階Ｓ２０３でフェムトセル３００が存在するか否かを確認する。すなわち、前記第１携帯端末機１００は、前記特定の周波数に特定の信号を送出し、それに対する応答を受信するか否かを確認することによって、前記第１携帯端末機１００に隣接する地域に第１携帯端末機１００が検索しようとする超小型移動通信基地局が存在するか否かを確認する。段階Ｓ２０３でフェムトセル３００が存在する場合、前記第１携帯端末機１００は、図４の段階Ｓ１１３に分岐し、以下の過程を行うように制御する。
【００３９】
一方、前記第１携帯端末機１００は、段階Ｓ２０３でフェムトセル３００が存在しない場合、すなわち、信号送出に対する何らの応答も受信しない場合、“Ｂ”過程に分岐する。前記“Ｂ”過程は、図６を参照して説明する。
【００４０】
図６は、本発明の実施例によるフェムトセル利用方法のさらに他の一例を説明するためのフローチャートである。図１、図２及び図６を参照すれば、図５の段階Ｓ２０３でフェムトセル３００が存在しない場合、本発明の実施例による第１携帯端末機１００は、段階Ｓ３０１に分岐し、特定の周波数帯域または図５の段階Ｓ２０１で使用された特定の周波数を除いた複数の周波数を基盤にしてサーチング作業を行う。このために前記第１携帯端末機１００は、保存部１５０に保存されたサーチ設定データから特定の周波数帯域に関する情報を獲得するか、または複数の周波数に関する情報を獲得する。また、前記第１携帯端末機１００は、前記特定の周波数帯域及び前記複数の周波数のうち図５の段階Ｓ２０１で利用された特定の周波数を除外させるように制御することもできる。一方、前記第１携帯端末機１００は、特定の周波数帯域または複数の周波数に関する情報を基盤にして既定の信号を送出するように制御する。
【００４１】
また、前記第１携帯端末機１００は、段階Ｓ３０３で、段階Ｓ３０１の実行による結果としてフェムトセル３００が存在するか否かを確認する。この過程で、前記第１携帯端末機１００は、フェムトセルが存在しない場合、すなわち、前記設定された信号送出による応答がない場合、図４の段階Ｓ１１９に分岐し、フェムトセル３００のサーチング失敗に対する通知を行う。この際、前記第１携帯端末機１００は、以前に行われたフェムトセル３００のサーチングのヒストリー情報も一緒に出力する。すなわち、前記第１携帯端末機１００は、特定の周波数とＰＳＣ基盤サーチの失敗、特定の周波数基盤サーチの失敗、特定の周波数帯域または複数の周波数を基盤とするサーチの失敗に対するメッセージをオーディオ処理部１３０または表示部１４０を通じて出力する。また、前記第１携帯端末機１００は、現在フェムトセル３００のサーチング方式、すなわち特定の周波数帯域または複数の周波数基盤のフェムトセル３００のサーチング失敗に対するメッセージのみを出力することもできる。
【００４２】
また、前記第１携帯端末機１００は、段階Ｓ３０３でフェムトセル３００が存在する場合、図４の段階Ｓ１１３に分岐し、フェムトセル３００の存在以後の過程を行うように制御する。
【００４３】
一方、前述した説明において、ＰＳＣ情報を利用する事例を特定の周波数と連携して行うことだけで説明したが、本発明の第１携帯端末機１００は、フェムトセル３００のサーチング設計によって他の部分にも利用することができる。すなわち前記第１携帯端末機１００は、特定の周波数帯域または複数の周波数を利用してフェムトセル３００をサーチングする図６の方式において特定の周波数帯域または複数の周波数とＰＳＣ情報を一緒に利用することができる。この方式において、前記第１携帯端末機１００は、前記特定の周波数帯域に含まれた様々な周波数またはサーチ設定データに保存された複数の周波数を利用して特定の信号をそれぞれ送出するとき、前記ＰＳＣ情報を一緒に送出することができる。
【００４４】
また、前述した説明では、特定の周波数とＰＳＣ情報、特定の周波数、特定の周波数帯域または複数の周波数を段階的に利用する方式について説明したが、本発明は、これに限定されるものではない。すなわちフェムトセル３００のサーチング設計によって、前記第１携帯端末機１００は、前記各段階で行われるフェムトセル３００の利用方法をフェムトセル３００のサーチングのメニュー項目として提供することができ、携帯端末機ユーザは、前記各段階のうちいずれか１つの段階を選択し、指示的に特定段階でのフェムトセル３００のサーチングを行うように制御することができる。この場合、前記第１携帯端末機１００は、ユーザが選択したフェムトセル利用方法によって優先的に特定の周波数帯域を基盤にしてフェムトセル３００をサーチングすることもでき、複数の周波数とＰＳＣ情報を基盤にしてフェムトセル３００をサーチングすることもできる。
【００４５】
要約すれば、本発明の実施例によるフェムトセル利用方法は、端末機設定によって特定の周波数とＰＳＣ情報、特定の周波数、特定の周波数帯域または複数の特定の周波数、特定の周波数帯域または複数の特定の周波数とＰＳＣ情報のうち少なくとも１つを利用してフェムトセル３００のサーチングを行うことができ、この過程で、前記フェムトセル利用方法は、特定の周波数とＰＳＣ情報を優先的に行い、その失敗可否によって他の情報を順次に利用してフェムトセル３００のサーチングを行うことができる。前記フェムトセル３００を利用する第１携帯端末機１００は、特定の周波数とＰＳＣ（Ｐｒｉｍａｒｙ  Ｓｃｒａｍｂｌｅ  Ｃｏｄｅ）情報を基盤にしてフェムトセル３００をサーチングするように制御し、失敗した場合、前記特定の周波数を基盤にしてフェムトセル３００サーチングを行うように制御し、さらに失敗した場合、前記特定の周波数帯域または複数の周波数とＰＳＣ情報を基盤にしてフェムトセル３００をサーチングするように制御し、さらに失敗した場合、特定の周波数帯域または複数の周波数を基盤にしてフェムトセル３００のサーチングを行うように制御することができる。また、前記フェムトセル利用方法は、フェムトセルサーチングメニュー項目を提供することによって、ユーザが前述した情報のうち特定の情報を選択することができるように支援し、選択された特定の情報を基盤にしてフェムトセル３００をサーチングすることができるように支援することができる。
【００４６】
また、本説明のフェムトセルサーチングのための方法及び装置として、前記表示部１４０にフェムトセル３００のサーチングのためのメニュー項目を出力し、ユーザがメニュー選択を行うことによってフェムトセル３００のサーチングを開始するものと説明したが、本発明は、これに限定されるものではない。すなわち、本発明の第１携帯端末機１００は、特定のキーにフェムトセル３００のサーチングのための入力信号を割り当てるホットキー設定を行うことができ、携帯端末機ユーザは、前記特定のキーを活性化することによってフェムトセルサーチングを行うことができる。この際、前記第１携帯端末機１００は、設計者の意図によって複数のキーに前述したサーチ設定データをそれぞれ割り当てる方式、例えば、第１のキーに特定の周波数とＰＳＣ情報基盤フェムトセル３００のサーチングのための入力信号生成機能を割り当て、第２のキーに特定の周波数基盤フェムトセル３００のサーチングのための入力信号生成機能を割り当て、第３のキーに特定の周波数帯域基盤フェムトセル３００のサーチングのための入力信号生成機能を割り当てるなどの方式を適用することもできる。
【００４７】
さらに、本発明の携帯端末機は、特定の超小型移動通信基地局が形成するフェムトセルと通信チャネルを形成した後、当該フェムトセルの周波数圏域から外れる場合、当該地域を周波数圏域にする移動通信基地局が形成した移動通信網に自動接続を行い、通信チャネルを形成することができる。この際、前記携帯端末機は、フェムトセルと移動通信網間のハンドオーバー過程を行うことができる。
【００４８】
したがって、本発明のフェムトセル利用方法及び装置は、ユーザが要求する時点でフェムトセルサーチングを行えるように支援することができ、この過程で、様々な情報を利用して段階的または指示的にフェムトセルサーチングを行うことができ、ユーザが所望の時点にフェムトセルを利用することができる。
【００４９】
一方、本明細書と図面により本発明の好ましい実施例について説明した。たとえ特定の用語が使用されたが、これは、ただ本発明の技術内容を容易に説明し、発明の理解を助けるための一般的な意味として使用されたものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【符号の説明】
【００５０】
１００    第１携帯端末機
１１０    無線周波数部
１２０    入力部
１３０    オーディオ処理部
１４０    表示部
１４１    第１アンテナアイコン
１４２    バッテリー残量アイコン
１４３    インジケーター領域
１４７    フェムトセルメニュー領域
１４９    ソフトキー領域
１５０    保存部
１６０    制御部
ＳＰＫ    スピーカ
ＭＩＣ    マイク
２００    第２携帯端末機  
３００    フェムトセル
４００    インターネット網
５００    移動通信網
【図１】
0005588275.tif 000002
【図２】
0005588275.tif 000003
【図３】
0005588275.tif 000004
【図４】
0005588275.tif 000005
【図５】
0005588275.tif 000006
【図６】
0005588275.tif 000007